【手続補正書】
【提出日】平成20年1月22日(2008.1.22)
【手続補正１】
【補正対象書類名】明細書
【補正対象項目名】特許請求の範囲
【補正方法】変更
【補正の内容】
【特許請求の範囲】
【請求項１】  地上固定局から移動体へのパケットデータ呼発信を処理する方法において、
パケットデータネットワークとの休眠ネットワーク接続を有するアクセス可能ではない遠隔ネットワークノードを有するパケットデータ呼を発生するために無線ネットワークからページメッセージを受信し、
無線ネットワークに解除メッセージを送信し、その解除メッセージはパケットデータセッション終了通知を含んでいるパケットデータ呼発信の処理方法。
【請求項２】  前記パケットデータセッション終了通知は無線ネットワークによって終了されるべき１以上のデータパケットセッションを識別する請求項１記載の方法。
【請求項３】  さらに、無線ネットワークとサービス折衝を行い、
前記サービス折衝中に受信された情報から地上固定局から移動体へのパケットデータ呼発信に関係するパケットデータセッション識別情報を抽出し、
識別されたパケットデータセッションはアクセスできない遠隔ネットワークノードに対応している請求項１記載の方法。
【請求項４】  前記解除メッセージは、アクセスできない遠隔ネットワークノードに対応しているパケットデータセッションを識別する指令資格コード（ＯＲＤＱ）フィールドを有する解除リクエストメッセージである請求項３記載の方法。
【請求項５】  前記ＯＲＤＱフィールドは、アクセスできない遠隔ネットワークノードに対応しているパケットデータセッションを識別するビットマップを含んでいる請求項４記載の方法。
【請求項６】  前記解除メッセージは、アクセスできない遠隔ネットワークノードに対応しているパケットデータセッションを識別するリソース解除リクエストメッセージである請求項３記載の方法。
【請求項７】  前記解除メッセージは、アクセスできない遠隔ネットワークノードに対応しているパケットデータセッションに基づいたサービス基準識別子を含んでいる請求項６記載の方法。
【請求項８】  さらに、アクセスできない遠隔ネットワークノードに対応しているパケットデータセッションを識別するパケットデータセッション終了通知中のセッション識別子を記憶するステップを含んでいる請求項３記載の方法。
【請求項９】  前記セッション識別子はサービス基準識別子である請求項８記載の方法。
【請求項１０】  さらに、無線ネットワークシステムに接続指令メッセージを送信するステップを含んでいる請求項３記載の方法。
【請求項１１】  さらに、無線ネットワークによりサービス折衝を行い、
前記サービス折衝中に受信された情報を使用して地上固定局から移動体への呼発信を識別するステップを含んでいる請求項１記載の方法。
【請求項１２】  前記解除メッセージは、終了されるべき１以上のパケットデータセッションを特定する指令資格コード（ＯＲＤＱ）フィールドを有する解除リクエストメッセージである請求項１１記載の方法。
【請求項１３】  前記ＯＲＤＱフィールドは、終了されるべき１以上のパケットデータセッションを特定するビットマップを含んでいる請求項１２記載の方法。
【請求項１４】  前記解除メッセージは、終了されるべき無線加入者局と関係する全てのパケットデータセッションを特定する指令資格コード（ＯＲＤＱ）フィールドを有する解除リクエストメッセージである請求項１１記載の方法。
【請求項１５】  前記解除メッセージは、終了されるべき１以上のパケットデータセッションを識別するリソース解除リクエストメッセージである請求項１１記載の方法。
【請求項１６】  前記解除メッセージは、終了されるべき１以上のパケットデータセッションのそれぞれに対応するサービス基準識別子を含んでいる請求項１５記載の方法。
【請求項１７】  地上固定局から移動体へのパケットデータ呼発信を処理する方法において、
パケットデータ呼を発生するために無線ネットワークからページを受信し、
無線ネットワークとサービス折衝を行い、
前記サービス折衝中に受信された情報から地上固定局から移動体へのパケットデータ呼発信に関係するパケットデータセッション識別情報を抽出し、識別されたパケットデータセッションはアクセスできない遠隔ネットワークノードに対応し、
呼鈴装置の付勢を指令する情報メッセージを有する警告を受信してデコードし、
呼鈴装置を付勢せずに無線システムに接続指令メッセージを送信し、
無線ネットワークに解除メッセージを送信するステップを含んでおり、その解除メッセージはパケットデータセッション終了通知を含んでいる方法。
【請求項１８】  パケットデータネットワークとの休眠ネットワーク接続を有するアクセス可能ではない遠隔ネットワークノードを有するパケットデータ呼を発生するため無線ネットワークからページを受信するように構成され、パケットデータセッション終了通知を含む解除メッセージを生成する制御プロセッサと、
前記無線ネットワークに解除メッセージを送信するように構成されている無線ネットワーク通信モジュールとを具備している無線加入者局装置。
【請求項１９】  前記制御プロセッサはさらに、パケットデータ識別終了通知のフィールドをフォーマットして無線ネットワークにより終了される１以上のパケットデータセッションを識別するように構成されている請求項１８記載の装置。
【請求項２０】  前記制御プロセッサはさらに、サービス折衝中に受信された情報から地上固定局から移動体へのパケットデータ呼の発信に関係するパケットデータセッション識別情報を抽出するように構成され、
識別されたパケットデータセッションはアクセスできない縁カックネットワークノードに対応している請求項１８記載の装置。
【請求項２１】  前記無線ネットワーク通信モジュールはＣＤＭＡ無線ネットワーク通信モジュールである請求項１８記載の装置。
【請求項２２】  前記無線ネットワーク通信モジュールはＷ−ＣＤＭＡ無線ネットワーク通信モジュールである請求項２１記載の装置。
【請求項２３】  前記無線ネットワーク通信モジュールはＩＳ−２０００無線ネットワーク通信モジュールである請求項２１記載の装置。
【請求項２４】  前記無線ネットワーク通信モジュールはＩＳ−９５無線ネットワーク通信モジュールである請求項２１記載の装置。
【請求項２５】  前記無線ネットワーク通信モジュールはＴＤＭＡ無線ネットワーク通信モジュールである請求項１８記載の装置。
【請求項２６】  パケットデータ呼発信方法において、
無線ネットワークを介してパケットデータネットワークへの休眠接続を有する遠隔ネットワークノードに対するパケットデータ呼を発生するために無線ネットワークからページを受信し、
遠隔ネットワークノードのアクセス可能性を評価し、
遠隔ネットワークノードがアクセスできないならばページに応答して無線ネットワークに解除メッセージを送信するステップを含んでいる方法。
【請求項２７】  解除メッセージは遠隔ネットワークノードのパケットデータセッションの終了に関連している請求項２６記載の方法。
【請求項２８】  さらに、ページに応答して、無線ネットワークとサービス折衝を行い、
遠隔ネットワークノードのパケットデータセッションを識別するサービス折衝から情報を抽出するステップを含んでいる請求項２６記載の方法。
【請求項２９】  前記解除メッセージは、パケットデータセッションを識別する指令資格コード（ＯＲＤＱ）フィールドを有する解除リクエストメッセージを含んでいる請求項２８記載の方法。
【請求項３０】  前記ＯＲＤＱフィールドは、パケットデータセッションを識別するビットマップを含んでいる請求項２９記載の方法。
【請求項３１】  前記解除メッセージは、パケットデータセッションを識別するリソース解除リクエストメッセージを含んでいる請求項２８記載の方法。
【請求項３２】  前記解除メッセージはさらにパケットデータセッションに基づいたサービス基準識別子を含んでいる請求項３１記載の方法。
【請求項３３】  さらに、無線ネットワークに接続指令メッセージを送信するステップを含んでいる請求項２８記載の方法。
【請求項３４】  さらに、呼鈴装置の付勢を指令する警告を無線ネットワークから受信し、
呼鈴装置を付勢せずに無線システムに接続指令メッセージを送信するステップを含んでいる請求項２８記載の方法。
【請求項３５】  パケットデータネットワークとの休眠ネットワーク接続を有する遠隔ネットワークノードのパケットデータ呼を発生するために無線ネットワークからページを受信し、遠隔ネットワークノードのアクセス性を評価し、遠隔ネットワークノードがアクセスできないならばページに応答して解除メッセージを発生するように構成されている制御プロセッサと、
解除メッセージを無線ネットワークへ送信するように構成されている無線ネットワーク通信モジュールとを具備している加入者局。
【請求項３６】  解除メッセージは遠隔ネットワークノードのパケットデータセッションの終了に関連している請求項３５記載の加入者局。
【請求項３７】  制御プロセッサはさらにページに応答して、無線ネットワークとサービス折衝を行い、遠隔ネットワークノードのパケットデータセッションを識別するサービス折衝から識別を抽出するように構成されている請求項３５記載の加入者局。
【請求項３８】  前記解除メッセージは、パケットデータセッションを識別する指令資格コード（ＯＲＤＱ）フィールドを有する解除リクエストメッセージを含んでいる請求項３７記載の加入者局。
【請求項３９】  前記ＯＲＤＱフィールドは、パケットデータセッションを識別するビットマップを含んでいる請求項３８記載の加入者局。
【請求項４０】  前記解除メッセージは、パケットデータセッションを識別するリソース解除リクエストメッセージを含んでいる請求項３２記載の加入者局。
【請求項４１】  前記解除メッセージはさらにパケットデータセッションに基づいたサービス基準識別子を含んでいる請求項４０記載の加入者局。
【請求項４２】  制御プロセッサはさらに接続指令メッセージを発生するように構成され、無線ネットワーク通信モジュールはさらに接続指令メッセージを無線ネットワークへ送信するように構成されている請求項３７記載の加入者局。
【請求項４３】  制御プロセッサはさらに呼鈴装置の付勢を指令する警告を無線ネットワークから受信し、呼鈴装置を付勢せずに接続指令メッセージを発生するように構成され、無線ネットワーク通信モジュールはさらに接続指令メッセージを無線ネットワークへ送信するように構成されている請求項３７記載の加入者局。
【請求項４４】  無線ネットワークを介してパケットデータネットワークへの休眠ネットワーク接続を有する遠隔ネットワークノードのパケットデータ呼を発生するため無線ネットワークからページを受信する手段と、
遠隔ネットワークノードのアクセス性を評価する手段と、
遠隔ネットワークノードがアクセスできないならばページに応答して解除メッセージを無線ネットワークへ送信する手段とを具備している加入者局。